(57)【要約】【目的】  医療や介護の場で介護者（看護師を含む）に介護（看護を含む）される要介護対象のおむつから便や尿が漏れ出た場合でも、漏れ出た便や尿が敷布団やマットレス、上側の掛け布団、及び要介護対象の来ている衣服を汚すことがないようにし、おむつ交換時の介護者の負担を大幅に軽減する。【構成】  要介護対象の腰及び腿の下側に配置されるシーツ本体と、シート状おむつと、前記シーツ本体に備えられた固定部であって、前記シーツ本体中の要介護対象の腰及び腿並びにその周辺部分と対向する部分が全体として要介護対象の腰及び腿をくるむ略筒状となるように、前記シーツ本体中の要介護対象から見て各左右方向の縁部及びその周辺部分を互いに固定する固定部とを備えた、おむつ交換を容易化する医療又は介護用シーツである。【選択図】    図１
2017080280.tif 000002
【特許請求の範囲】
【請求項１】
要介護対象から見て縦方向が４０〜１２０ｃｍ、横方向が５０〜１６０ｃｍのシーツ本体であって、要介護対象の腰及び腿の下側に配置されるシーツ本体と、
前記シーツ本体上の要介護対象の腰及び腿と対向する位置に配置される、要介護対象から見て縦方向が３０〜９０ｃｍ、横方向が４０〜１５０ｃｍのシート状おむつと、
前記シーツ本体に備えられた固定部であって、前記シーツ本体が全体として要介護対象の腰及び腿をくるむ略筒状となるように、前記シーツ本体中の要介護対象から見て右側又は左側の部分であって要介護対象の腹部の上方に配置される部分の内面側と、前記シーツ本体中の要介護対象から見て左側又は右側の部分であって要介護対象の腹部の上方に配置される部分の外面側とを互いに固定する固定部と、
を備えた、おむつ交換を容易化する医療又は介護用シーツ。
【請求項２】
前記固定部は、前記シーツ本体中の前記要介護対象の腹部の上方に配置される部分の外面側に取り付けられた面ファスナーと、前記面ファスナーと係合可能な他の面ファスナーであって前記シーツ本体中の前記要介護対象の腹部の上方に配置される部分の内面側に取り付けられた面ファスナーとにより構成されている、請求項１記載のおむつ交換を容易化する医療又は介護用シーツ。
【請求項３】
前記シーツ本体は、前記シート状おむつの前記シーツ本体に対する位置ズレを防止するズレ防止手段を備えている、請求項１又は２に記載のおむつ交換を容易化する医療又は介護用シーツ。
【請求項４】
前記ズレ防止手段は、前記シート状おむつの外周縁部もしくはその周辺部分の複数箇所にそれぞれ固定された各スナップボタン又は各磁石とそれぞれ互いに対向及び連結、連接もしくは係合可能な各スナップボタン又は各磁石であって、前記シーツ本体中の前記シート状おむつの外周縁部もしくはその周辺部分の複数箇所とそれぞれ対向する複数箇所にそれぞれ固定された各スナップボタン又は各磁石により構成されるものである、請求項３に記載のおむつ交換を容易化する医療又は介護用シーツ。
【請求項５】
前記ズレ防止手段は、前記シート状おむつの外周縁部もしくはその周辺部分の複数箇所にそれぞれ固定された各面ファスナー又は各磁石とそれぞれ互いに対向及び連結、連接もしくは係合可能な各面ファスナー又は各磁石であって、前記シーツ本体中の前記シート状おむつの外周縁部もしくはその周辺部分の複数箇所とそれぞれ対向する複数箇所にそれぞれ固定された各面ファスナー又は各磁石により構成されるものである、請求項３に記載のおむつ交換を容易化する医療又は介護用シーツ。
【発明の詳細な説明】
【技術分野】
【０００１】
本発明は医療又は介護の現場において使用する、おむつ交換を容易化する医療又は介護用シーツに関する。
【背景技術】
【０００２】
従来より、寝たきりの老人（要介護対象）などに適した介護用シーツが種々提案されている。例えば特許文献１は、タオル生地と防水シートを張り合せて外周縁部の複数箇所に取っ手を付けた防水タオルシーツを提案している。このような防水タオルシーツは、要介護対象のおむつから漏れ出た便や尿が下側の敷布団やマットレスを汚すことを防止することができると共に、介護者は前記取っ手を使用することにより容易に要介護対象の身体の移動や向き変えを行うことができるなどのメリットを有するものとされている。
【先行技術文献】
【特許文献】
【０００３】
【特許文献１】実用新案登録第３０７３８６２号公報
【発明の概要】
【発明が解決しようとする課題】
【０００４】
前記特許文献１に示すような防水タオルシーツは、確かに、要介護対象のおむつから漏れ出た便や尿が下側の敷布団やマットレスを汚すことを防止することができる。
【０００５】
しかしながら、要介護対象のおむつから便や尿が漏れ出た場合、漏れ出た便や尿は、要介護対象の下側の敷布団やマットレスを汚すだけでなく、要介護対象の上側の掛け布団、要介護対象の来ている衣服（パジャマのズボンなど）をも汚すことになる。そのため、従来より、要介護対象のおむつから便や尿が漏れ出た場合のおむつ交換時の処理が、介護者にとって大きな負担となっていた。
【０００６】
上記特許文献１に示す防水タオルシーツは、要介護対象のおむつから漏れ出た便や尿が要介護対象の下側の敷布団やマットレスを汚すことを防止するだけなので、漏れ出た便や尿が要介護対象の上側の掛け布団、要介護対象の来ている衣服（パジャマのズボンなど）を汚すことについては全く対応できない。
【０００７】
本発明はこのような従来技術の問題点に着目してなされたものであって、医療や介護の場で介護者（看護師を含む）に介護（看護を含む）される要介護対象のおむつから便や尿が漏れ出た場合でも、漏れ出た便や尿が「要介護対象の下側の敷布団やマットレス、要介護対象の上側の掛け布団、及び要介護対象の着ている衣服」のいずれをも汚すことがないようにし、これにより要介護対象のおむつから便や尿が漏れ出た場合における「おむつ交換等を行う介護者の負担」を大幅に軽減することができる、おむつ交換を容易化する医療又は介護用シーツを提供することを目的とする。
【課題を解決するための手段】
【０００８】
以上のような課題を解決するための本発明によるおむつ交換を容易化する医療又は介護用シーツは、要介護対象から見て縦方向が４０〜１２０ｃｍ、横方向が５０〜１６０ｃｍのシーツ本体であって、（敷布団又はマットレスの上側に配置され且つ）要介護対象の腰及び腿の下側に配置されるシーツ本体と、前記シーツ本体上の要介護対象の腰及び腿と対向する位置に配置される、要介護対象から見て縦方向が３０〜９０ｃｍ、横方向が４０〜１５０ｃｍのシート状おむつと、前記シーツ本体に備えられた固定部であって、前記シーツ本体が全体として要介護対象の腰及び腿をくるむ略筒状となるように、前記シーツ本体中の要介護対象から見て右側又は左側の部分であって要介護対象の腹部の上方に配置される部分の外面側と、前記シーツ本体中の要介護対象から見て左側又は右側の部分であって要介護対象の腹部の上方に配置される部分の内面側とを互いに固定する固定部とを備えるものである。
【０００９】
また、本発明によるおむつ交換を容易化する医療又は介護用シーツにおいては、前記固定部は、前記シーツ本体中の前記要介護対象の腹部の上方に配置される部分の内面側に取り付けられた面ファスナーと、前記面ファスナーと係合可能な他の面ファスナーであって前記シーツ本体中の前記要介護対象の腹部の上方に配置される部分の外面側に取り付けられた面ファスナーとにより構成されていてもよい。
【００１０】
また、本発明によるおむつ交換を容易化する医療又は介護用シーツにおいては、前記シーツ本体は、前記シート状おむつが前記シーツ本体に対して位置ズレしないようにするズレ防止手段を備えていてもよい。
【００１１】
また、本発明によるおむつ交換を容易化する医療又は介護用シーツにおいては、前記ズレ防止手段は、前記シート状おむつの外周縁部もしくはその周辺部分の複数箇所にそれぞれ固定された各スナップボタンの凹状部分もしくは凸状部分又は各磁石とそれぞれ互いに対向及び連結、連接もしくは係合可能な各スナップボタンの凸状部分もしくは凹状部分又は各磁石であって、前記シーツ本体中の前記シート状おむつの外周縁部もしくはその周辺部分の複数箇所とそれぞれ対向する複数箇所にそれぞれ固定された各スナップボタンの凸状部分もしくは凹状部分又は各磁石により構成されていてもよい。
【００１２】
さらに、本発明にるおむつ交換を容易化する医療又は介護用シーツにおいては、前記ズレ防止手段は、前記シート状おむつの外周縁部もしくはその周辺部分の複数箇所にそれぞれ固定された各面ファスナー又は各磁石とそれぞれ互いに対向及び連結、連接もしくは係合可能な各面ファスナー又は各磁石であって、前記シーツ本体中の前記シート状おむつの外周縁部もしくはその周辺部分の複数箇所とそれぞれ対向する複数箇所にそれぞれ固定された各面ファスナー又は各磁石により構成されていてもよい。
【発明の効果】
【００１３】
本発明においては、前記固定部により、前記シーツ本体が、全体として「要介護対象の腰、腿、及びそれらの周辺部分をくるむ（包む）略筒状」となるように、前記シーツ本体中の要介護対象から見て右側方向の縁部又はその周辺部分と、前記シーツ本体中の要介護対象から見て左側方向の縁部又はその周辺部分とを互いに固定（例えば面ファスナーなどにより一時的に固定）するようにしている。このように、本発明においては、前記シーツ本体が、要介護対象の腰及び腿の左右上下を覆う（包む）ように略筒状に形成されると共に、前記シート状おむつが、要介護対象の腰及び腿の少なくとも下側と左右を覆う（包む）ように（より望ましくは、要介護対象の腰及び腿の左右上下を覆う（包む）ように）形成される。よって、本発明によれば、要介護対象の腰及び腿とそれらの周辺部分が、前記シート状おむつが取り付けられた前記シーツ本体により覆われる（包まれる）ようになるので、もし要介護対象のおむつから便や尿が漏れ出た場合でも、漏れ出た便や尿が「要介護対象の下側の敷布団やマットレス」だけでなく「要介護対象の上側の掛け布団」をも汚さないようにすることができる。なお、前記シート状おむつが取り付けられた前記シーツ本体が「おむつから漏れ出た便や尿」により汚されても、前記シート状おむつは使い捨て製品であり、且つ前記シーツ本体は容易に洗濯できるものなので、大きな不都合はない。
【００１４】
また、本発明では、特に寝たきりの要介護対象などの場合において、前述のように要介護対象の腰及び腿とそれらの左右上下の周辺部分が前記シーツ本体により覆われている（包まれている）ので、おむつをはいた状態のまま（すなわち、パジャマのズボンなどを着用しない状態のまま）でも、要介護対象が羞恥心を抱くなどの不都合はほとんど生じない。よって、本発明を、特に寝たきりの要介護対象などの場合に、おむつをはいた状態のまま（すなわち、パジャマのズボンなどをはかない状態のまま）、前記シーツ本体が要介護対象の腰及び腿とそれらの周辺部分を覆う（包む）ように使用することにより、もし要介護対象のおむつから便や尿が漏れ出た場合でも、漏れ出た便や尿が「要介護対象の下側の敷布団やマットレス」及び「要介護対象の上側の掛け布団」だけでなく、「要介護対象の着ている衣服（パジャマのズボンなど）」をも汚さないようにすることができる。
【００１５】
また、本発明において、前記固定部を、前記シーツ本体中の前記要介護対象の腹部の上方に配置される部分の内面側に取り付けられた面ファスナーと、前記面ファスナーと係合可能な他の面ファスナーであって前記シーツ本体中の前記要介護対象の腹部の上方に配置される部分の外面側に取り付けられた面ファスナーとにより構成したときは、介護者は、要介護対象を前記シーツ本体及びシート状おむつの上に寝かせた後、要介護対象の腰及び腿とそれらの周辺部分を前記シーツ本体（及びシート状おむつ）でくるむことを、極めて効率的かつ容易に行えるようになる。
【００１６】
また、本発明において、前記シート状おむつが前記シーツ本体に対して位置ズレしないようにするズレ防止手段を備えたときは、要介護対象を前記シーツ本体及びシート状おむつの上に寝かせた後、要介護対象の腰及び腿とそれらの周辺部分を前記シーツ本体（及びシート状おむつ）でくるんだ後に、要介護対象の動きにより前記シート状おむつが前記シーツ本体に対して位置ズレしてしまう不都合を防止することができる。
【００１７】
また、本発明において、前記ズレ防止手段を、前記シート状おむつの外周縁部もしくはその周辺部分の複数箇所にそれぞれ固定された各スナップボタンの凹状部分もしくは凸状部分又は各磁石とそれぞれ互いに対向及び連結、連接もしくは係合可能な各スナップボタン（の凸状部分もしくは凹状部分）又は各磁石であって、前記シーツ本体中の前記シート状おむつの外周縁部もしくはその周辺部分の複数箇所とそれぞれ対向する複数箇所にそれぞれ固定された各スナップボタン（の凸状部分もしくは凹状部分）又は各磁石により構成したときは、介護者は、前記シーツ本体の上にシート状おむつを配置した後、前記シート状おむつの外周縁部もしくはその周辺部分に固定された各スナップボタン（の凹状部分もしくは凸状部分）又は各磁石と、前記シーツ本体に固定された前記各スナップボタン（の凸状部分もしくは凹状部分）又は各磁石とを互いに対向・連結（スナップボタンの場合は嵌合もしくは係合、磁石の場合は連接）させるという単純な作業を行うだけで、極めて効率的に、前記の「要介護対象の動きによりシート状おむつがシーツ本体に対して位置ズレしてしまう不都合」を防止することができる。
【００１８】
さらに、本発明において、前記ズレ防止手段を、前記シート状おむつの外周縁部もしくはその周辺部分に固定された各面ファスナー又は各磁石と、前記シーツ本体に固定された各面ファスナー又は各磁石であって前記前記シート状おむつ側の各面ファスナー又は各磁石と互いに対向及び連結、連接もしくは係合可能な各面ファスナー又は各磁石とにより構成したときは、介護者は、前記シーツ本体の上にシート状おむつを配置した後、前記シート状おむつの外周縁部もしくはその周辺部分に固定された各面ファスナー又は各磁石と、前記シーツ本体に固定された前記各面ファスナーとを互いに対向・連結（スナップボタンの場合は嵌合、磁石の場合は連接）させるという単純な作業を行うだけで、極めて効率的に、前記の「要介護対象の動きによりシート状おむつがシーツ本体に対して位置ズレしてしまう不都合」を防止することができる。
【図面の簡単な説明】
【００１９】
【図１】（ａ）は本発明の実施形態１に係る医療又は介護用シーツを構成するシーツ本体を示す平面模式図、（ｂ）は本実施形態１に係る医療又は介護用シーツの一部を構成するシート状おむつを示す平面模式図である。
【図２】本実施形態１における前記シーツ本体及シート状おむつと要介護対象との位置関係を説明する平面模式図である。
【図３】本実施形態１の動作又は使用方法を説明するための斜視図である。
【図４】本実施形態１の動作又は使用方法を説明するための斜視図である。
【図５】本実施形態１の動作又は使用方法を説明するための斜視図である。
【図６】本実施形態１の動作又は使用方法を説明するための斜視図である。
【図７】本実施形態１の動作又は使用方法を説明するための斜視図である。
【図８】本実施形態１の動作又は使用方法を説明するための斜視図である。
【図９】本発明の実施形態２を説明するための模式図で、（ａ）は本発明の実施形態１に係る医療又は介護用シーツを構成するシーツ本体を示す平面模式図、（ｂ）は本実施形態１に係る医療又は介護用シーツの一部を構成するシート状おむつを示す平面模式図、（ｃ）はシーツ本体に設けられた三角ポケットを示す斜視図である。
【図１０】本発明の実施形態３に係る医療又は介護用シーツを説明するための斜視図である。
【図１１】要介護対象の腰及びその周辺部分を本実施形態３で包むために本実施形態３を円筒状にするときの動作を説明するための図である。
【図１２】本実施形態３を円筒状にするときの動作を説明するための図である。
【図１３】本実施形態３を円筒状にするときの動作を説明するための図である。
【図１４】本実施形態３を円筒状にするときの動作を説明するための図である。
【図１５】本実施形態３を円筒状にするときの動作を説明するための図である。
【図１６】本実施形態３を円筒状にするときの動作を説明するための図である。
【図１７】本実施形態３において採用した、シート状おむつのシーツ本体に対するズレ防止のための構成を説明するための図である。
【図１８】本実施形態３において採用した、シート状おむつのシーツ本体に対するズレ防止のための構成を説明するための図である。
【図１９】本実施形態３において採用した、シート状おむつのシーツ本体に対するズレ防止のための構成を説明するための図である。
【図２０】本実施形態３において採用した、シート状おむつのシーツ本体に対するズレ防止のための構成を説明するための図である。
【図２１】本実施形態３において採用した、シート状おむつのシーツ本体に対するズレ防止のための構成を説明するための図である。
【図２２】本実施形態３において採用した、シート状おむつのシーツ本体に対するズレ防止のための構成を説明するための図である。
【図２３】本実施形態３において採用した、シート状おむつのシーツ本体に対するズレ防止のための構成を説明するための図である。
【図２４】本実施形態３において採用した、シート状おむつのシーツ本体に対するズレ防止のための構成を説明するための図である。
【図２５】本発明の実施形態４に係る医療又は介護用シーツを説明するための概略図である。
【発明を実施するための形態】
【００２０】
〔第１の実施形態〕
以下、本発明の実施の形態を図面を用いて説明する。図１（ａ）は本発明の実施形態１に係る医療又は介護用シーツを構成するシーツ本体を示す平面模式図、図１（ｂ）は本実施形態１に係る医療又は介護用シーツの一部を構成するシート状おむつを示す平面模式図、図２は本実施形態１における前記シーツ本体及シート状おむつと要介護対象との位置関係などを説明する平面模式図である。
【００２１】
図１において、１は敷布団又はマットレスの上に配置されるシーツであって例えば毛織物（タオル生地、スウェット生地など、他の様々な素材が利用可能である）から成る略長方形状のシーツ本体（例えば、通常の敷布団又はマットレスと略同一のサイズかこれよりも少し小さいサイズのものが望ましい）、２は前記シーツ本体１の上に配置されるシート状おむつ（前記シーツ本体１よりも小さいサイズのものが望ましい）である（図１（ａ）では、シート状おむつ２が配置される部分を破線で示している）。
【００２２】
本実施形態１において、前記シーツ本体１は、図２に示すように、少なくとも「要介護対象１０の腰を覆う「おむつ」１１、腿１２、並びに当該腰（おむつ１１）及び腿１２から要介護対象１０から見て左右両方向に少なくとも例えば６００ｍｍ（３００ｍｍ〜６００ｍｍでもよい）以上延びる領域Ａ，Ａ’」と対向する部分を含むようなサイズに形成されている。よって、本実施形態１では、前記シーツ本体１により、要介護対象１０の腰（おむつ１１）及び腿１２並びにその周辺部分の上下左右を含む全体を、覆い包むことができる。
【００２３】
また本実施形態１において、前記シート状おむつ２は、図１（ｂ）に示すように、高吸水性樹脂を内部に封入した扁平な袋形状の厚いシート状部分２ａとその外周縁部（高吸水性樹脂が内部に封入されていない部分であって薄いシート状の部分）２ｂとから構成されている。また、前記シート状おむつ２は、図２に示すように、要介護対象１０の腰の部分（おむつ１１）及び腿１２などを十分にカバーすることができるように、少なくとも縦方向が６００ｍｍ（要介護対象の大きさにより、３００ｍｍ〜１，０００ｍｍの範囲内）、及び横方向が９００ｍｍ（要介護対象の大きさにより、４００ｍｍ〜１，２００ｍｍの範囲内）のサイズを有するように、形成されている。
【００２４】
よって、本実施形態１では、前記シート状おむつ２により、要介護対象１０の腰（おむつ１１）及び腿１２並びにその周辺部分の下側と左右を覆うことができる。なお、腰回りのサイズの小さい要介護対象１０ならば、上記サイズのシート状おむつ２でも、要介護対象１０の腰（おむつ１１）及び腿１２並びにそれらの左右上下の周辺部分を、覆い包むことができる。なお、前記シート状おむつ２の要介護対象から見て左右方向すなわち図示横方向のサイズを例えば１０００ｍｍ以上のサイズにして、腰回りのサイズの大きい要介護対象１０についても、その要介護対象１０の腰（おむつ１１）及び腿１２並びにそれらの左右上下の周辺部分を、覆い包めるようにしてもよい。
【００２５】
本実施形態１では、図１（ａ）に示すように、前記シーツ本体１の要介護対象から見て略上半分の左右両縁部の中、図示右側縁部１ａの裏側（外面側）の図示の４箇所にそれぞれスナップボタンの凸状部分３ａ〜３ｃが、また図示左側縁部１ｂの表側（内面側）の図示の４箇所にそれぞれスナップボタンの凹状部分４ａ〜４ｃが、固定されている。
【００２６】
また、本実施形態１では、図１（ａ）に示すように、前記シーツ本体１中の、前記シート状おむつ２の４個の各隅部及びその周辺部分（前記外周縁部２ｂの一部）が配置される複数箇所に、それぞれ、スナップボタンの凹状部分５が予め固定されている。
【００２７】
次に本実施形態１の動作又は使用方法について説明する。本実施形態１を使用するときは、予め、シーツ本体１の上にシート状おむつ２を配置し、さらにシート状おむつ２がシーツ本体１の上でズレないようにしておく必要がある。そのため、本実施形態１では、シーツ本体１の上にシート状おむつ２を配置した後、シーツ本体１中の「シート状おむつ２の外周縁部２ｂ中の４個の隅部及びその周辺部分」と対向する部分に予め固定されている各スナップボタンの凹状部分（嵌め込まれる側の部分）５に、それぞれ各スナップボタンの凸状部分（嵌め込む側の部分）を、前記シート状おむつ２の外周縁部２ｂを介して嵌め込むことにより、取付け、固定する。これにより、シート状おむつ２が、シーツ本体１の上で位置ズレしないように、シーツ本体１に固定される。
【００２８】
図３はこのときの動作を説明するための斜視図である。図３において、５ａ，５ｂは前記シーツ本体１の所定の複数箇所（前記シート状おむつ２の外周縁部２ｂ中の４つの隅部及びその周辺部分に対応する箇所）に予め縫製などで固定されたスナップボタンの凹状部分、６ａは前記スナップボタンの凹状部分５ａと嵌合可能な凸状部分（まだどこにも固定されていないフリーの状態）、６ｂは前記スナップボタンの凹状部分５ｂに嵌合された凸状部分、７ａ，７ｂは前記シート状おむつ２の外周縁部２ｂ中の各隅部及びその周辺部分の取付箇所（前記スナップボタン６ａ，６ｂにより前記シーツ本体１に取り付けられる箇所）である。
【００２９】
図３の例では、前記シート状おむつ２の外周縁部２ｂ中の取付箇所７ｂは、前記凸状部分６ｂが「前記シーツ本体１の前記取付個所７ｂと対応する箇所に予め固定されていた凹状部分」と嵌合することにより、前記シーツ本体１側に固定されている。これに対して、前記シート状おむつ２の外周縁部２ｂ中の取付箇所７ａは、まだ固定されておらず、フリーの状態である。この取付箇所７ａについては、同様にフリーの状態で置かれている凸状部分６ａが、前記取付箇所７ａ（前記シート状おむつ２の薄い外周縁部２ｂの一部）を介して、対応する凹状部分５ａに嵌合されることにより、前記シーツ本体１側に係止、固定される。図４の斜視図は、このようにして、前記シーツ本体１の上にシート状おむつ２が位置ズレしないように係止、固定された状態を示すものである。
【００３０】
また図４において、６は前記シート状おむつ２の外周縁部２ｂ中の複数の取付箇所を、前記シーツ本体１に係止、固定するために、前記スナップボタンの凹状部分５（図４では図示せず）に嵌め込まれた凸状部分である。
【００３１】
次に、本実施形態１に係る医療又は介護用シーツ（シーツ本体１及びシート状おむつ２）により要介護対象１０の腰（おむつ１１）、腿１２及びその周辺を包む動作について説明する。この場合は、まず、図２に示すように、本実施形態１に係る医療又は介護用シーツ（シーツ本体１及びシート状おむつ２）を敷布団又はマットレスの上に配置する。その後、要介護対象１０を、その腰すなわち「おむつ」１１が本実施形態１に係る医療又は介護用シーツ（シーツ本体１及びシート状おむつ２）の略中心にくるように、寝かせる。
【００３２】
次に、前記シーツ本体１及びシート状おむつ２の略中心部の上に要介護対象１０（図３では図示省略）の腰部（図２のおむつ１１参照）を配置した状態から、図５に示すように、シーツ本体１の左右両縁部１ａ，１ｂを要介護対象１０の上方で互いに近づける（なお、図５では、前記シート状おむつ２の縁部２ｂ（図１参照）は、便宜上、図示を省略している）。そして、図５の矢印Ｂ１に示すように、シーツ本体１の一方の縁部１ｂ側のスナップボタンの凹状部分４ｃをシーツ本体１の他方の縁部１ａ側のスナップボタンの凸状部分３ｃに嵌合させる。以下同様に、図５の矢印Ｂ２に示すように一方の縁部１ｂ側の凹状部分４ｂを他方の縁部１ａ側の凸状部分３ｂに、矢印Ｂ３に示すように一方の縁部１ｂ側の凹状部分４ａを他方の縁部１ａ側の凸状部分３ａに、それぞれ嵌合させる。
【００３３】
これにより、図６に示すように、前記シート状おむつ２が取り付けられたシーツ本体１（特に前記シーツ本体１中の図示上半分の要介護対象１０の腰及び腿１２と対向する部分）が、前記各凸状部分３ａ〜３ｃと前記各凹状部分４ａ〜４ｃとの嵌合により、全体として略筒状に形成される。なお、図６では、前記各凸状部分３ａ〜３ｃと前記各凹状部分４ａ〜４ｃとを、便宜上、互いに近接しているが完全には嵌合していない状態（仮想的に、互いが少し離れた状態）で図示した。
【００３４】
図７は、以上の動作を説明するための斜視図であって、前記シーツ本体１を略筒状に形成するために、前記凹状部分４ｃを前記凸状部分３ｃに、前記凹状部分４ａを前記凸状部分３ａに、前記凹状部分４ｂを前記凸状部分３ｂに、それぞれ嵌合する前の状態を示すものである。
また、図８は、前述した図７の状態から、前記各凹状部分４ｃ，４ａ，４ｂを前記各凸状部分３ｃ，３ａ，３ｂにそれぞれ嵌合した後の、前記シーツ本体１が全体として略筒状に形成された状態を示す斜視図である。
【００３５】
このような本実施形態１を使用するときは、もし要介護対象１０のおむつ交換時に、おむつ１１から便や尿が漏れ出ていた場合でも、前述のように要介護対象１０のおむつ１１の上下左右の周辺部分を前記シーツ本体１が包むように覆っているので、要介護対象１０の下側の敷布団もしくはマットレスだけでなく、要介護対象１０の上側の掛け布団が汚れることも防止される。さらに、本実施形態１では、要介護対象１０のおむつ１１が前記シーツ本体１で覆われるので、要介護対象１０のおむつ１１の上に衣服（パジャマのズボンなど）をはかせる必要がない（パジャマのズボンなどをはかなくても、特に恥ずかしくない）ので、もし要介護対象１０のおむつ１１交換時に、おむつ１１から便や尿が漏れ出ていた場合でも、（要介護対象１０がパジャマのズボンなどを。もともと、はいていないため）要介護対象１０の被服が汚れることをも防止することができる。よって、本実施形態１を使用するときは、おむつ１１交換時の介護者の作業負担を大幅に軽減させることができる。
【００３６】
以上のように、本実施形態１においては、前記各凹状部分４ａ〜４ｂ及び各凸状部分３ａ〜３ｃを互いに嵌合させることにより、前記シーツ本体１中の「要介護対象１０の腰（おむつ１１）及び腿１２、並びに当該腰（おむつ１１）及び腿１２から要介護対象から見て左右方向に延びる領域Ａ，Ａ’」と対向する部分が、全体として要介護対象の腰（おむつ１１）及び腿１２をくるむ（包む）略筒状となるように、前記シーツ本体１中の図示左側方向の縁部１ｂ又はその周辺部分と、前記シーツ本体１中の図示右側方向の縁部１ａ又はその周辺部分とを互いに係止、固定するようにしている。このように、本実施形態１においては、前記シーツ本体１が、要介護対象の腰（おむつ１１）及び腿１２とそれらの左右上下の周辺部分を覆う（包む）ように略筒状に形成され配置されると共に、前記シート状おむつ２が、要介護対象の腰（おむつ１１）及び腿１２の少なくとも下側と左右を覆う（包む）ように形成され配置されるようにしている。よって、本実施形態によれば、要介護対象１０の腰（おむつ１１）及び腿１２の略全体が、前記シート状おむつ２が取り付けられた前記シーツ本体１により覆われる（包まれる）ようになる結果、もし要介護対象１０のおむつ１１から便や尿が漏れ出た場合でも、漏れ出た便や尿が「要介護対象１０の下側の敷布団やマットレス」だけでなく「要介護対象１０の上側の掛け布団」をも汚さないようにすることができる。
【００３７】
また、本実施形態１では、特に寝たきりの要介護対象の場合において、前述のように要介護対象１０の腰（おむつ１１）及び腿１２とそれらの左右上下の周辺部分が前記シーツ本体１により覆われている（包まれている）ので、おむつ１１をはいた状態のまま（すなわち、パジャマのズボンなどをはかない状態のまま）でも、要介護対象１０が羞恥心を抱くなどの不都合はほとんど生じない。よって、本実施形態１によれば、特に要介護対象１０が寝たきりのような場合に、おむつ１１をはいた状態のまま（すなわち、パジャマのズボンなどを着用しない状態のまま）、要介護対象１０の腰（おむつ１１）及び腿１２の全体を前記シーツ本体１が覆う（包む）ようにすることにより、もし要介護対象１０のおむつから便や尿が漏れ出た場合でも、漏れ出た便や尿が「要介護対象１０の下側の敷布団やマットレス」及び「要介護対象１０の上側の掛け布団」だけでなく、「要介護対象１０の着ている衣服（パジャマのズボンなど）」をも、（もともとパジャマのズボンなどをはかないようにして）汚さないようにすることができる。
【００３８】
また、本実施形態１においては、前記シーツ本体１中の前記左右各縁部１ａ，１ｂ又はその周辺部分を、前述のようなスナップボタンの凸状部分３ａ〜３ｃ及び凹状部分４ａ〜４ｃにより、互いに固定できるようにしたので、介護者は、要介護対象１０を前記シーツ本体１及びシート状おむつ２の上に寝かせた後、要介護対象１０の腰（おむつ１１）及び腿１２を、全体として略筒状に形成された前記シーツ本体１及びシート状おむつ２でくるむことを、極めて効率的かつ容易に行えるようになる。
【００３９】
また、本実施形態１においては、前記シート状おむつ２の外周縁部２ｂを、前記スナップボタン５により、前記シーツ本体１に対して取り付け、固定できるようにした。よって、本実施形態１によれば、前記シート状おむつ２が前記シーツ本体１に対して位置ズレすることがなくなり、要介護対象１０を前記シーツ本体１及びシート状おむつ２の上に寝かせて、要介護対象１０の腰（おむつ１１）及び腿を前記シーツ本体１及びシート状おむつ２でくるんだ後に、要介護対象１０の動作により前記シート状おむつ２が前記シーツ本体１に対して位置ズレしてしまう不都合を、防止できるようになる。
【００４０】
また、本実施形態１においては、前述のように、前記シート状おむつ２の前記シーツ本体１への位置ズレ防止（係止、固定）を、前記のスナップボタンの各部分５及び６を互いに嵌合するだけで行えるようにしたので、前記シート状おむつ２の前記シーツ本体１に対する位置ズレ防止（係止、固定）、を極めて効率的に行うことができる。
【００４１】
なお、他の実施形態においても後述するが、本実施形態１においてはシーツ本体１を略筒状に形成して固定するために、シーツ本体１の外周縁部及びその近傍部分の複数箇所に予め固定した各スナップボタン３ａ〜３ｃ及び４ａ〜４ｃを使用するようにした（図２，図５〜８など参照）が、本発明の他の実施形態としては、前記各スナップボタン３ａ〜３ｃ及び４ａ〜４ｃをそれぞれ各面ファスナーに代えるようにしてもよい。
【００４２】
〔第２の実施形態〕
次に本発明の実施形態２に係る医療又は介護用シーツを図９を参照して説明する。本実施形態２は前記実施形態１と基本的構成は同一であるので、以下では異なる部分についてのみ説明する。前記の実施形態１では、図１に示すように、前記シート状おむつ２の前記シーツ本体１への位置ズレ防止のために、複数のスナップボタン５を前記シーツ本体１に予め縫製などにより固定するようにしていた。しかし、これらのスナップボタン５は通常は金属製又はプラスチック製など硬い素材から成るものであるため、それが外部に露出している場合は、要介護対象１０の皮膚や衣服に当たって褥痩（床ずれ）が生じてしまう可能性がある。
【００４３】
そこで、本実施形態２では、図９（ａ）及び（ｃ）に示すように、前記シーツ本体１に予め固定された複数のスナップボタン５（前記シート状おむつ２の前記シーツ本体１に対する位置ズレ防止用のスナップボタン５）の上方（要介護対象１０側）の露出を防いでその上方を覆うための例えば布製の三角ポケット（カバー体）２１Ａを、前記シート本体１上の計４箇所に、縫製などにより設けるようにしている。
【００４４】
よって、本実施形態２によれば、前記実施形態１による作用効果に加えて、前記スナップボタン５が要介護対象１０の皮膚や衣服に当たって褥痩（床ずれ）を生じさせてしまうことを防止できるようになる。
【００４５】
〔第３の実施形態〕
次に本発明の実施形態３に係る医療又は介護用シーツを図１０〜２４を参照して説明する。本実施形態３は前記実施形態１と基本的構成は同じであるので、以下では、前記実施形態１と相違する部分を中心に、本実施形態３の構成及び動作を説明する。
【００４６】
図１０は本実施形態３に係る医療又は介護用シーツの全体を示す斜視図である。図１０において、１はシーツ本体、２はシート状おむつ、２ａはシート状おむつ２中の内部に高吸水性樹脂が封入された部分、２ｂはシート状おむつ２中の外周縁部であって内部に高吸水性樹脂が封入されていない外周縁部、２１はシート状おむつ２の要介護対象から見て頭部側の両端部を前記シーツ本体１側に固定することによりシート状おむつ２のシーツ本体１に対する位置ズレを防止するズレ防止具、２５はシート状おむつ２の要介護対象から見て足側の両端部を前記シーツ本体１側に固定することによりシート状おむつ２のシーツ本体１に対する位置ズレを防止するズレ防止具、である。なお、前記シーツ本体１は、例えば、縦方向が４０〜１２０ｃｍ（望ましくは６０〜９０ｃｍ）、横方向が５０〜１６０ｃｍ（望ましくは１００〜１５０ｃｍ）である。また、前記シート状おむつ２は、例えば、縦方向が３０〜９０ｃｍ、横方向が４０〜１５０ｃｍである。
【００４７】
次に、本実施形態３において、要介護対象の腰及び腿の周辺を包む（包み込む）ために、シーツ本体１を全体として略円筒状にするための構成及びその動作を、図１１〜１４を参照して説明する。
【００４８】
本実施形態３では、図１０に示すように、１枚のシーツ本体１（図１０においては、シーツ本体１の図示下方が、これを使用する要介護対象の頭部方向となる）は、これを使用する要介護対象から見て左側部分１ａと、要介護対象から見て中央部分１ｂと、要介護対象から見て右側部分１ｃとから構成されている。図１０，１１に示すように、シーツ本体１中の要介護対象から見て左側部分１ａの頭部方向（要介護対象の頭部方向。図示下方）縁部の内面側（シート状おむつ２が配置される側）に、比較的長い帯状の面ファスナー（マジックテープ（商標））１５が、要介護対象から見て横方向に延びるように、縫製又は両面テープなどで固定されている。また、本実施形態３では、図１２に示すように、前記シーツ本体１中の要介護対象から見て右側部分１ｃの外面側（シート状おむつ２が配置されていない側）の複数箇所（図１２では３箇所）に、それぞれ矩形状の各面ファスナー１６ａ〜１６ｃが、要介護対象から見て横方向に互いに所定の間隔を介して一列に延びるように、固定されている。
【００４９】
また、本実施形態３では、図１５に示すように、前記シーツ本体１中の要介護対象から見て左側部分１ａの側方（要介護対象の腰の側方）縁部の内面側（シート状おむつ２が配置される側）に、矩形状の面ファスナー１７が、その一部が前記シーツ本体１から突出するように、縫製や両面テープなどで固定されている。また、本実施形態３では、図１５，１６に示すように、前記シーツ本体１中の要介護対象から見て右側部分１ｃの側方（要介護対象の腰の側方）の縁部より少し中央に寄った位置の外面側（シート状おむつ２が配置されていない側）の複数箇所（本実施形態では２箇所。図１６参照）に、それぞれ、矩形状の各面ファスナー１８ａ，１８ｂが、要介護対象から見て横方向に互いに所定の間隔を介して並ぶように、縫製や両面テープなどで固定されている。
【００５０】
次に、本実施形態３にシーツ本体１（図１０，図１２などのシーツ本体１では、その図示下方が、これを使用する要介護対象の頭部方向となる。）を略筒状にするための動作を説明する。この場合、まず、前記シーツ本体１中の要介護対象から見て右側部分１ｃ（図１０，図１２参照）を、前記シーツ本体１中の要介護対象から見て中央部分１ｂ（図１２参照）の上側（すなわち、シーツ本体１の上に横たわっている要介護対象（図１２などでは図示省略）の腹部の上側）に、前記シーツ本体１の他の部分に対して折り曲げるようにして、配置する（要介護対象の腹部の上に掛ける）。このときは、図１２に示すように、前記シーツ本体１中の要介護対象（図示省略）から見て右側部分１ｃの上方縁部の外面側の面ファスナー１６ａ〜１６ｃが、ユーザー（介護者）側の腹部の上方に位置する状態となる。
【００５１】
次に、ユーザー（介護者）が、前記シーツ本体１中の要介護対象から見て左側部分１ａの頭部側縁部の内面側に固定された帯状の面ファスナー１５又はその周辺部分を持って、前記外面側に固定された各面ファスナー１６ａ〜１６ｃの上側へ（図示右側方向に）移動させる（図１２、図１３参照）。その後、図１４に示すように、前記内面側に固定された帯状の面ファスナー１５を、前記外面側に固定された各面ファスナー１６ａ〜１６ｃに当接させて固定させる。
【００５２】
次に、図１５のように、ユーザー（介護者）が、前記シーツ本体１中の要介護対象から見て左側部分１ａの側方縁部の内面側に固定された矩形状の面ファスナー１７（図１５参照）を持って、前記外面側に固定された面ファスナー１８ａ又は１８ｂの上側へ（図示右側方向に）移動させる。その後、図１６に示すように、前記内面側に固定された帯状の面ファスナー１７を、前記外面側に固定された各面ファスナー１８ａ，１８ｂのいずれか一方（図１６の例では面ファスナー１８ｂ）に当接させて固定させる。なお、この場合の前記内面側に固定された帯状の面ファスナー１７を前記外面側に固定された面ファスナー１８ａ，１８ｂのいずれに固定されるかは、要介護対象の体形（腹部のサイズなど）に応じてユーザー（介護者）が選択する。以上により、シーツ本体１を略筒状にする動作が完了する。
【００５３】
次に、本実施形態３における前記シート状おむつ２のシーツ本体１に対する位置ズレを防止するための構成について説明する。本実施形態３では、このような位置ズレ防止のために、図１０の符号２１，２５で示すようなズレ防止具をシーツ本体１に備えるようにしている。
【００５４】
図１７〜２１は、前述の図１０に示すズレ防止具２１を説明するための図である。本実施形態３のシーツ本体１には、図１７〜２１に示すような平面略三角形状のズレ防止具２１（図１０参照）が備えられている。このズレ防止具２１は、図２０に示すように、平面略三角形状の布からなる上側三角布２１ａと、同様に平面略三角形状の布からなる下側三角布２１ｃとが一方の辺で連結されて成るものである。そして、図２０，２１に示すように、前記ズレ防止具２１は、下側三角布２１ｃ側に固定された面ファスナー２３ａとシーツ本体１側に固定された面ファスナー２３ｂとにより、シーツ本体１の所定箇所に着脱可能に取り付けられる。前記ズレ防止具２１の構成及び動作の詳細は、さらに次のとおりである。
【００５５】
前記ズレ防止具２１は、図１７に示すように、上側三角布２１ａと、この上側三角布２１ａの頂点部分２１ｂに取り付けられたスナップボタン２２ａ（凹部又は凸部）と、前記シーツ本体１側に取り付けられたスナップボタン２２ｂであって前記スナップボタン２２ａと対向可能な（前記上側三角布２１ａの頂点部分２１ｂがシーツ本体１側に倒されたときに対向可能な）位置に固定されたスナップボタン２２ｂ（凸部又は凹部。なお、このスナップボタン２２ｂは、図１７では、シート状おむつ２の外周縁部２ｂにより、隠されている）と、により構成されている。
【００５６】
本実施形態３において、前記ズレ防止具２１によりズレ防止を行うときは、図１７に示すように、前記シート状おむつ２を前記シーツ本体１上に配置し、前記シート状おむつ２の外周縁部２ｂを前記スナップボタン２２ｂの上に配置した後、図１８に示すように、前記上側三角布２１ａの頂点部分２１ｂを前記シーツ本体１側に倒す。その後、図１９に示すように、前記上側三角布２１ａの頂点部分２１ｂのスナップボタン２２ａを、前記シーツ本体１側のスナップボタン２２ｂ（図１９ではシート状おむつ２の外周縁部２ｂにより隠されている）に対向させ、さらに前記スナップボタン２２ｂに、前記シート状おむつ２の外周縁部（薄いシート状の縁部）２ｂを介して、嵌合させる。これにより、前記シート状おむつ２の外周縁部２ｂが前記シーツ本体１に固定され、その結果、シート状おむつ２のシーツ本体１に対する位置ズレが防止される。以上の動作は、シーツ本体１の上側（要介護対象の胸側）に配置された２つのズレ防止具２１（図１０参照）のそれぞれについて行う。
【００５７】
次に、前記ズレ防止具２１の前記シーツ本体１への着脱動作を、図２０，２１を参照して説明する。前記ズレ防止具２１は、前述のように、前記上側三角布２１ａと、この上側三角布２１ａと底辺部分（一辺）で互いに連結された下側三角布２１ｃとにより構成されている。前記下側三角布２１ｃの裏面の端部には面ファスナー２３ａが固定されている。図２０に示すように、前記下側三角布２１ｃの裏面側の面ファスナー２３ａは、予めシーツ本体１に固定された面ファスナー２３ｂと対向可能かつ互いに貼り付け可能に構成されている。よって、前記各面ファスナー２３ａ，２３ｂを互いに貼り付け又は取り外しすることにより、前記ズレ防止具２１の前記シーツ本体１への着脱が可能となっている。図２１は、このようにして、前記ズレ防止具２１を前記シーツ本体１から取り外したときの状態を示す図である。このように、前記ズレ防止具２１を前記シーツ本体１から取り外せるようにしたのは、シーツ本体１を洗濯するときに前記ズレ防止具２１を取り外せるようにするなどの必要があるからである。
【００５８】
以上の図１７〜２１を参照して説明した２つのズレ防止具２１は、図１０に示すように、シーツ本体１中の要介護対象から見て頭部側（胸側。図１０では図示下方）の左右の位置に取り付けられるものであるが、本実施形態３では、シーツ本体１中の要介護対象から見て足側（膝側）の左右の位置にも、ズレ防止具２５が取り付けられている。
【００５９】
次に、このズレ防止具２５（図１０参照）について、図２２〜２４を参照して説明する。前記ズレ防止具２５は、平面形状が略長方形状であることを除き、前記ズレ防止具２１と同様の構成となっている。すなわち、前記ズレ防止具２５は、図２２に示すように、上側四角布２５ａと下側四角布２５ｂとがその一辺で連結され、下側四角布２５ｂが図示しない面ファスナーによりシーツ本体１に着脱可能に取り付けられている。
【００６０】
このズレ防止具２５を使用してシート状おむつ２のシーツ本体１へのズレ防止を行うときは、まず、図２２のように、シート状おむつ２の外周縁部２ｂを、前記ズレ防止具２５の上側四角布２５ａと下側四角布２５ｂとの間に挟まれるように配置した後、前記上側四角布２５ａの頂点部分に取り付けられたスナップボタン２６ａを前記シート状おむつ２の外周縁部２ｂ側に倒す（図２３参照）。その後、前記スナップボタン２６ａを、前記シーツ本体１上の前記スナップボタン２６ａと対向する位置に予め固定されているスナップボタン２６ｂ（図２２，２３に破線の矢印で示すもの）に、前記シート状おむつ２の外周縁部２ｂを介して、嵌合させる（図２４参照）。これにより、前記シート状おむつ２の外周縁部２ｂが前記スナップボタン２６ａ，２６ｂにより固定されるので、前記シート状おむつ２のシーツ本体１に対するズレが防止される。
【００６１】
〔第４の実施形態〕
次に本発明の実施形態４に係る医療又は介護用シーツを図２５（医療又は介護用シーツを構成するシーツ本体及びシート状おむつを示す概略図）を参照して説明する。本実施形態４は前記実施形態３と基本的構成は同じであるので、以下では、前記実施形態３と相違する部分を中心に、本実施形態４の構成及び動作を説明する。
【００６２】
図２５（ａ）はシーツ本体１の要介護対象と対向する側の面を示す平面図で、図示下方が要介護対象の頭部側（胸側）、図示上方が要介護対象の足側（膝側）である。また図２５（ｂ）はシート状おむつ２の前記シーツ本体１と対向する面（要介護対象と対向する面の反対側の面）を示す平面図で、図示上方が要介護対象の頭部側（胸側）、図示下方が要介護対象の足側（膝側）である。図２５において、前記実施形態３に関する図１０と共通する部分には同一の符号を付して説明を省略する。
【００６３】
図２５（ａ）において、３１ａは前記シーツ本体１の要介護対象の胸側の左右にそれぞれ両面テープや縫製等で予め取り付けられた略「く」の字状の面ファスナー、３２ａは前記シーツ本体１の要介護対象の膝側の左右にそれぞれ両面テープや縫製等で予め取り付けられた略矩形状の面ファスナーである。また、図２５（ｂ）において、３１ｂは前記シート状おむつ２側に両面テープや縫製等で予め取り付けられた略「く」の字状の面ファスナーであって、前記シート状おむつ２がシーツ本体１上に配置されたとき、前記面ファスナー３１ａに対向し貼り付けられるように配置及び形成された面ファスナー、３２ｂは前記シート状おむつ２側に両面テープや縫製等で予め取り付けられた略矩形状の面ファスナーであって、前記シート状おむつ２がシーツ本体１に配置されたとき、前記面ファスナー３２ａに対向し貼り付けられるように配置及び形成された面ファスナーである。
【００６４】
本実施形態４では、シート状おむつ２をシーツ本体１上に配置するとき、シート状おむつ２に予め取り付けた各面ファスナー３１ｂ，３２ｂを、それぞれ、シーツ本体１に予め取り付けた各面ファスナー３２ａ，３２ｂに対向させ貼り付けるようにする。これにより、シート状おむつ２付きのシーツ本体１を要介護対象の腰などの周囲に巻き付けて使用する過程で、シート状おむつ２がシーツ本体１に対して位置ズレしてしまうことを、前述のような簡単な動作だけで、防止できるようになる。
【００６５】
以上、本発明の各実施形態について説明したが、本発明は前記の各実施形態として述べたものに限定されるものではなく、様々な修正及び変更が可能である。例えば、前記実施形態１においては、前記シーツ本体１を略筒状に形成するための固定部としてスナップボタン３ａ〜３ｃ及び４ａ〜４ｃを使用したが、本発明はこれに限られるものではなく、例えば、穴に嵌めこむタイプのボタン、鉤付きホック、面ファスナー（マジックテープ（商標））、ステープル、紐、又は縫製など、公知の様々な固定のための手段又は方法を使用することができる。
【００６６】
また、前記実施形態１，２においては、前記シート状おむつ２を前記シーツ本体１に対して位置ズレしないようにするための位置ズレ防止手段としてスナップボタン５，６を使用しているが、本発明はこれに限られるものではなく、例えば、穴に嵌め込むボタンを使用すること、前記シート状おむつ２又は前記シーツ本体１の互いに対向する面の複数箇所に摩擦発生用のゴムを付着させることなど、公知の様々な位置ズレ防止手段又は滑り止め用手段を使用することができる。
【００６７】
また、前記実施形態１，２においては、前記シーツ本体１及びシート状おむつ２は略長方形状としたが、本発明ではこれに限られることなく、例えば台形状、楕円形状などとしてもよい。
【００６８】
また、前記実施形態１，２においては、３ａ〜３ｃをスナップボタンの凸状部分とし、４ａ〜４ｃをスナップボタンの凹状部分としたが、本発明では、これとは逆に、３ａ〜３ｃをスナップボタンの凹状部分とし、４ａ〜４ｃをスナップボタンの凸状部分としてもよい。また、前記実施形態１，２ではスナップボタンの凹状部分５を予めシーツ本体１に固定しておきスナップボタンの凸状部分６でシート状おむつ２の外周縁部２ｂをシーツ本体１に係止、固定するようにしたが、本発明では、これとは逆に、スナップボタンの凸状部分を予めシーツ本体に固定しておきスナップボタンの凹状部分でシート状おむつ２の外周縁部をシーツ本体に係止、固定するようにしてもよい。
【００６９】
また、前記実施形態３においては、シート状おむつ２のシーツ本体１に対するズレ防止のため、各スナップボタン２２ｂ，２６ｂを前記シート状おむつ２の外周縁部２ｂ中の複数箇所に取り付け固定するようにしたが、本発明では、前記各スナップボタン２２ｂ，２６ｂを前記シート状おむつ２の外周縁部２ｂの近傍部分（おむつが含まれている部分２ａ）中の複数箇所に取り付け固定するようにしてもよい。
【００７０】
また、前記実施形態４においては、シート状おむつ２のシーツ本体１に対するズレ防止のため、各面ファスナー３１ｂ，３２ｂを前記シート状おむつ２の外周縁部２ｂの複数箇所に取り付け固定するようにしたが、本発明では、前記各面ファスナー３１ｂ，３２ｂを前記シート状おむつ２の外周縁部２ｂの近傍部分（おむつが含まれている部分２ａ）中の複数箇所に取り付け固定するようにしてもよい。
【００７１】
また、前記実施形態３では、シート状おむつ２がシーツ本体１に対してズレることを防止するためのズレ防止具２１，２５として、シート状おむつ２側に取り付けた各スナップボタン２２ｂ，２６ｂとシーツ本体１側に取り付けた各スナップボタン２２ａ，２６ａを使用したが、本発明はこれに限られるものではなく、前記のシート状おむつ２側に取り付けた各スナップボタン２２ｂ，２６ｂとシーツ本体１側に取り付けた各スナップボタン２２ａ，２６ａに代えて（又はこれらと共に）、シート状おむつ２側に取り付けた各ゴム磁石などの磁石（図示省略）とシーツ本体１側に取り付けた各ゴム磁石などの磁石（図示省略）とを使用するようにしてもよい。
【００７２】
また、前記実施形態４では、シート状おむつ２がシーツ本体１に対してズレることを防止するためのズレ防止具として、シート状おむつ２側に取り付けた各面ファスナー３１ｂ，３２ｂとシーツ本体１側に取り付けた各面ファスナー３１ａ，３２ａを使用したが、本発明はこれに限られるものではなく、前記のシート状おむつ２側に取り付けた各スナップボタン３１ｂ，３２ｂとシーツ本体１側に取り付けた各スナップボタン３１ａ，３２ａに代えて（又はこれらと共に）、シート状おむつ２側に取り付けた各ゴム磁石などの磁石（図示省略）とシーツ本体１側に取り付けた各ゴム磁石などの磁石（図示省略）とを使用するようにしてもよい。
【００７３】
さらに、前記各実施形態では、要介護対象として寝たきり又はこれに類似する状態の高齢者、身体障害者、病人などを想定して説明したが、本発明では、要介護対象を人に限定することなく、寝たきり又はこれに類似する状態となった犬、猫などのペットも要介護対象として含めてもよい。
【符号の説明】
【００７４】
１    シーツ本体
１ａ，１ｂ   シーツ本体の左右の縁部（図１０以下では、１ａ及び１ｂはシーツ本体の要介護対象から見て左側部分及び同中央部分、１ｃはシーツ本体の要介護対象から見て右側部分）
２    シート状おむつ
２ａ   シート状おむつ中のおむつが封入されている部分
２ｂ   シート状おむつの外周縁部（おむつが封入されていない部分）
３ａ〜３ｃ，６ａ，６ｂ     スナップボタンの凸状部分
４ａ〜４ｂ，５，５ａ，５ｂ，６ａ スナップボタンの凹状部分
７ａ，７ｂ   取付箇所
１０   要介護対象
１１   おむつ
１２   腿
２１，２５    ズレ防止具
２１ａ 上側三角布
２１ｂ 頂点部分
２１ｃ 下側三角布
２２ａ，２２ｂ，２６ａ，２６ｂ      スナップボタン
２３ａ，２３ｂ，３１ａ，３１ｂ，３２ａ，３２ｂ    面ファスナー
２５ａ 上側四角布
２５ｂ 下側四角布
【図１】
2017080280.tif 000003
【図２】
2017080280.tif 000004
【図３】
2017080280.tif 000005
【図４】
2017080280.tif 000006
【図５】
2017080280.tif 000007
【図６】
2017080280.tif 000008
【図７】
2017080280.tif 000009
【図８】
2017080280.tif 000010
【図９】
2017080280.tif 000011
【図１０】
2017080280.tif 000012
【図１１】
2017080280.tif 000013
【図１２】
2017080280.tif 000014
【図１３】
2017080280.tif 000015
【図１４】
2017080280.tif 000016
【図１５】
2017080280.tif 000017
【図１６】
2017080280.tif 000018
【図１７】
2017080280.tif 000019
【図１８】
2017080280.tif 000020
【図１９】
2017080280.tif 000021
【図２０】
2017080280.tif 000022
【図２１】
2017080280.tif 000023
【図２２】
2017080280.tif 000024
【図２３】
2017080280.tif 000025
【図２４】
2017080280.tif 000026
【図２５】
2017080280.tif 000027
【手続補正書】
【提出日】平成28年11月14日(2016.11.14)
【手続補正１】
【補正対象書類名】特許請求の範囲
【補正対象項目名】全文
【補正方法】変更
【補正の内容】
【特許請求の範囲】
【請求項１】
要介護対象から見て縦方向が４０〜１２０ｃｍ、横方向が５０〜１６０ｃｍのシーツ本体であって、要介護対象の腰及び腿の下側に配置される、洗濯により再利用可能なシーツ本体と、
前記シーツ本体上の要介護対象の腰及び腿と対向する位置に配置される、要介護対象から見て縦方向が３０〜９０ｃｍ、横方向が４０〜１５０ｃｍである、使い捨て型のシート状おむつと、
前記シーツ本体に備えられた固定部であって、前記シーツ本体が全体として要介護対象の腰及び腿をくるむ略筒状となるように、前記シーツ本体中の要介護対象から見て右側又は左側の部分であって要介護対象の腹部の上方に配置される部分の内面側と、前記シーツ本体中の要介護対象から見て左側又は右側の部分であって要介護対象の腹部の上方に配置される部分の外面側とを互いに固定する固定部と、
前記シート状おむつを、前記シーツ本体に対して、前記シート状おむつが前記シーツ本体に対して位置ズレしないように着脱可能に係止・固定する、前記シーツ本体に備えられた取り付け部と、を備え、
おむつ交換の際には、汚れたシート状おむつを使い捨てとしつつ、新しい使い捨て型シート状おむつを前記シーツ本体に対し着脱可能に係止・固定できるようにした、おむつ交換に適した医療又は介護用シーツ。
【請求項２】
要介護対象から見て縦方向が４０〜１２０ｃｍ、横方向が５０〜１６０ｃｍのシーツ本体であって、要介護対象の腰及び腿の下側に配置されるシーツ本体と、
前記シーツ本体上の要介護対象の腰及び腿と対向する位置に配置される、要介護対象から見て縦方向が３０〜９０ｃｍ、横方向が４０〜１５０ｃｍのシート状おむつと、
前記シーツ本体に備えられた固定部であって、前記シーツ本体が全体として要介護対象の腰及び腿をくるむ略筒状となるように、前記シーツ本体中の要介護対象から見て右側又は左側の部分であって要介護対象の腹部の上方に配置される部分の内面側と、前記シーツ本体中の要介護対象から見て左側又は右側の部分であって要介護対象の腹部の上方に配置される部分の外面側とを互いに固定する固定部と、
前記シーツ本体に備えられたズレ防止手段であって、前記シート状おむつの前記シーツ本体に対する位置ズレを防止するズレ防止手段と、
を備えたおむつ交換に適した医療又は介護用シーツ。
【請求項３】
前記固定部は、前記シーツ本体中の前記要介護対象の腹部の上方に配置される部分の外面側に取り付けられた面ファスナーと、前記面ファスナーと係合可能な他の面ファスナーであって前記シーツ本体中の前記要介護対象の腹部の上方に配置される部分の内面側に取り付けられた面ファスナーとにより構成されている、請求項１又は２に記載のおむつ交換に適した医療又は介護用シーツ。
【請求項４】
前記取り付け部は、前記シート状おむつの外周縁部もしくはその周辺部分の複数箇所にそれぞれ固定された各スナップボタン又は各磁石とそれぞれ互いに対向及び連結、連接もしくは係合可能な各スナップボタン又は各磁石であって、前記シーツ本体中の前記シート状おむつの外周縁部もしくはその周辺部分の複数箇所とそれぞれ対向する複数箇所にそれぞれ固定された各スナップボタン又は各磁石により構成されるものである、請求項１に記載のおむつ交換に適した医療又は介護用シーツ。
【請求項５】
前記取り付け部は、前記シート状おむつの外周縁部もしくはその周辺部分の複数箇所にそれぞれ固定された各面ファスナー又は各磁石とそれぞれ互いに対向及び連結、連接もしくは係合可能な各面ファスナー又は各磁石であって、前記シーツ本体中の前記シート状おむつの外周縁部もしくはその周辺部分の複数箇所とそれぞれ対向する複数箇所にそれぞれ固定された各面ファスナー又は各磁石により構成されるものである、請求項１に記載のおむつ交換に適した医療又は介護用シーツ。
【手続補正３】
【補正対象書類名】明細書
【補正対象項目名】０００８
【補正方法】変更
【補正の内容】
【０００８】
本発明に係るおむつ交換に適した医療又は介護用シーツは、要介護対象から見て縦方向が４０〜１２０ｃｍ、横方向が５０〜１６０ｃｍのシーツ本体であって、要介護対象の腰及び腿の下側に配置される、洗濯により再利用可能なシーツ本体と、前記シーツ本体上の要介護対象の腰及び腿と対向する位置に配置される、要介護対象から見て縦方向が３０〜９０ｃｍ、横方向が４０〜１５０ｃｍである、使い捨て型のシート状おむつと、前記シーツ本体に備えられた固定部であって、前記シーツ本体が全体として要介護対象の腰及び腿をくるむ略筒状となるように、前記シーツ本体中の要介護対象から見て右側又は左側の部分であって要介護対象の腹部の上方に配置される部分の内面側と、前記シーツ本体中の要介護対象から見て左側又は右側の部分であって要介護対象の腹部の上方に配置される部分の外面側とを互いに固定する固定部と、前記使い捨て型シート状おむつを、前記洗濯により再利用可能なシーツ本体に対して、前記シート状おむつが前記シーツ本体に対して位置ズレしないように着脱可能に係止・固定する、取り付け部と、を備え、おむつ交換の際には、汚れたシート状おむつを使い捨てとしつつ、新しい使い捨て型シート状おむつを前記シーツ本体に対し着脱可能に係止・固定できるようにしたものである。
【手続補正４】
【補正対象書類名】明細書
【補正対象項目名】０００９
【補正方法】変更
【補正の内容】
【０００９】
また、本発明に係るおむつ交換に適した医療又は介護用シーツは、要介護対象から見て縦方向が４０〜１２０ｃｍ、横方向が５０〜１６０ｃｍのシーツ本体であって、要介護対象の腰及び腿の下側に配置されるシーツ本体と、前記シーツ本体上の要介護対象の腰及び腿と対向する位置に配置される、要介護対象から見て縦方向が３０〜９０ｃｍ、横方向が４０〜１５０ｃｍのシート状おむつと、前記シーツ本体に備えられた固定部であって、前記シーツ本体が全体として要介護対象の腰及び腿をくるむ略筒状となるように、前記シーツ本体中の要介護対象から見て右側又は左側の部分であって要介護対象の腹部の上方に配置される部分の内面側と、前記シーツ本体中の要介護対象から見て左側又は右側の部分であって要介護対象の腹部の上方に配置される部分の外面側とを互いに固定する固定部と、前記シーツ本体に備えられたズレ防止手段であって、前記シート状おむつの前記シーツ本体に対する位置ズレを防止するズレ防止手段と、を備えたものである。
【手続補正５】
【補正対象書類名】明細書
【補正対象項目名】００１０
【補正方法】変更
【補正の内容】
【００１０】
また、本発明において、前記固定部は、前記シーツ本体中の前記要介護対象の腹部の上方に配置される部分の外面側に取り付けられた面ファスナーと、前記面ファスナーと係合可能な他の面ファスナーであって前記シーツ本体中の前記要介護対象の腹部の上方に配置される部分の内面側に取り付けられた面ファスナーとにより構成されていてもよい。
【手続補正６】
【補正対象書類名】明細書
【補正対象項目名】００１１
【補正方法】変更
【補正の内容】
【００１１】
また、本発明によるおむつ交換を容易化する医療又は介護用シーツにおいては、前記の取り付け部又はズレ防止手段は、前記シート状おむつの外周縁部もしくはその周辺部分の複数箇所にそれぞれ固定された各スナップボタンの凹状部分もしくは凸状部分又は各磁石とそれぞれ互いに対向及び連結、連接もしくは係合可能な各スナップボタンの凸状部分もしくは凹状部分又は各磁石であって、前記シーツ本体中の前記シート状おむつの外周縁部もしくはその周辺部分の複数箇所とそれぞれ対向する複数箇所にそれぞれ固定された各スナップボタンの凸状部分もしくは凹状部分又は各磁石により構成されていてもよい。
【手続補正７】
【補正対象書類名】明細書
【補正対象項目名】００１２
【補正方法】変更
【補正の内容】
【００１２】
さらに、本発明にるおむつ交換を容易化する医療又は介護用シーツにおいては、前記の取り付け部又はズレ防止手段は、前記シート状おむつの外周縁部もしくはその周辺部分の複数箇所にそれぞれ固定された各面ファスナー又は各磁石とそれぞれ互いに対向及び連結、連接もしくは係合可能な各面ファスナー又は各磁石であって、前記シーツ本体中の前記シート状おむつの外周縁部もしくはその周辺部分の複数箇所とそれぞれ対向する複数箇所にそれぞれ固定された各面ファスナー又は各磁石により構成されていてもよい。